(57)【要約】【課題】従来のペリメーターの操作性を損なうことなく、検査結果を電子データとして記録することが可能なペリメーターを提供する。【解決手段】指標操作アーム２０を手動操作して、凹面状に形成された受光面に表示されるスポット光の表示位置を制御することにより視野を検査するペリメーターにおいて、前記指標操作アーム２０が移動する移動面と対向して配置された支持フレーム１６の位置に、前記移動面とパネル面とを平行に、かつ前記移動面とパネル面とを離間させた配置に、外面がタッチパネルによって形成され、指標操作アーム２０の移動位置と前記受光面に表示されるスポット位置とが対応した配置となる視野スケールパターンが表示された視野スケール表示部３０が設けられ、該視野スケール表示部３０に前記視野スケールパターン等の所要の画像を表示し、前記タッチパネルに入力されたマーキング位置、記号、文字等の入力データを電子データとして記録し、記録された電子データを出力する制御装置が設けられていることを特徴とする。【選択図】          図１
2004229870.tif 000002
【特許請求の範囲】
【請求項１】
指標操作アームを手動操作して、凹面状に形成された受光面に表示されるスポット光の表示位置を制御することにより視野を検査するペリメーターにおいて、
前記指標操作アームが移動する移動面と対向して配置された支持フレームの位置に、前記移動面とパネル面とを平行に、かつ前記移動面とパネル面とを離間させた配置に、外面がタッチパネルによって形成され、指標操作アームの移動位置と前記受光面に表示されるスポット位置とが対応した配置となる視野スケールパターンが表示された視野スケール表示部が設けられ、
該視野スケール表示部に前記視野スケールパターン等の所要の画像を表示し、前記タッチパネルに入力されたマーキング位置、記号、文字等の入力データを電子データとして記録し、記録された電子データを出力する制御装置が設けられていることを特徴とするペリメーター。
【請求項２】
前記視野スケール表示部が、既設のペリメーターにおいて記録紙をセットするセット部と同一の位置に、前記記録紙に表示されている視野スケールパターンと同一の縮尺で視野スケールパターンが表示可能に設けられていることを特徴とする請求項１記載のペリメーター。
【請求項３】
受光体に被検眼を撮影するカメラが設けられ、前記カメラによって撮影された被検眼の映像が視野スケール表示部に表示可能に設けられていることを特徴とする請求項１または２記載のペリメーター。
【発明の詳細な説明】
【０００１】
【発明の属する技術分野】
本発明はペリメーターに関し、より詳細には視野の測定結果を電子データとして記録可能としたペリメーターに関する。
【０００２】
【従来の技術】
ペリメーターは、視野測定の最も基準となる検査装置として従来から使われている。図４、５はペリメーターの正面図と背面図を示す。ペリメーターは、半球面状の凹面に形成された受光体にスポット状の指標を位置を変えて順次表示させ、その指標が視認可能か否かによって被検者の視野を検査するものである。
【０００３】
図４で、１０が半球面状に形成された受光部が形成された受光体、１２が受光体１０に対向して配置された顎受け台、１４がスポット光を投射するプロジェクタ１３を支持する回動アームである。回動アーム１４は受光体１０の中心を通る鉛直線を旋回中心として、受光体１０の凹面と同一半径で旋回するように設けられ、プロジェクタ１３は回動アーム１４の下部側に、受光体１０の中心と同一高さ位置に設けられている。
【０００４】
受光体１０の背面側では、図５に示すように、支持台１５上に立設された支持フレーム１６の側面（鉛直面）に平行に連繋アーム１８が移動自在に取り付けられ、連繋アーム１８の下端側に指標操作アーム２０が連結されている。連繋アーム１８と前記回動アーム１４とはリンク機構１９を介して連繋され、指標操作アーム２０の先端部を指でつまんで動かすことによって、連繋アーム１８およびリンク機構１９を介して回動アーム１４が所定位置に回動するとともに、回動アーム１４に取り付けられているプロジェクタ１３の光投射方向が制御される。
【０００５】
指標操作アーム２０および連繋アーム１８等の機械的機構は、支持フレーム１６の下部側面に設けられている記録紙のセット部２２に記録紙をセットし、記録紙上でつまみを移動させた際に、つまみの先端部に設けられたポインタ２０ａの先端の位置と受光体１０の凹面に表示される指標位置とが一致するように設計されている。
したがって、検者は記録紙上でつまみを動かしながら、被検者が指標を視認できたか否かをチェックすることで視野検査を行うことができる。なお、１７はスポット光の強度やスポット径を手動によって調節する調節部である。
【０００６】
ペリメーターは視野測定用の標準装置として多用されているが、手動測定であるため、検者の技量が測定精度に大きく影響するという問題と、測定時間がかかるという問題がある。そのため、ペリメーターを半自動式とし、手動式による操作を残しながら、検査内容をプログラム化して効率的な検査を可能にした視野計が提案されている（たとえば、特許文献１参照）。
【０００７】
【特許文献１】
特開２００２−２５３５０２号公報
【０００８】
【発明が解決しようとする課題】
ところで、ペリメーターが標準型の視野計として多用されている理由の一つは、手動式であることから、被検者の状態に応じて的確な検査が可能であることである。被検者の症状によっては視野の特定部分を詳細に検査する必要があるし、特定の症状があらわれる部分は被検者によってまちまちであるから、そのような場合に、一律にプログラム化した検査内容によっては正確に症状を知ることができない場合があるからである。
【０００９】
また、病院等においては診察結果あるいは検査結果を電子データとして保管するようになってきていることから、視野測定結果についても電子データとして保管することが求められるようになってきた。このような要請に応えるため、検査方法をプログラム化したり、検査結果を電子データとして保存できるようにした視野計が提供されている。
しかしながら、ペリメーターは標準的な視野計として使用価値が高いものであり、多くの病院等に設置され、その使用についても習熟されていることから、既存の設備を利用でき、かつペリメーターの取り扱い上の特徴を損なわないようにして検査結果を電子化することが求められている。
【００１０】
そこで、本発明はこれらの課題を解決すべくなされたものであり、その目的とするところは、既存のペリメーターの操作性をまったく損なうことなく、既存の設備をそのまま利用することも容易に可能で、検査結果を電子データとして保存することができ、取り扱い性に優れたペリメーターを提供しようとするものである。
【００１１】
【課題を解決するための手段】
上記課題を解決するため、本発明は次の構成を備える。
すなわち、指標操作アームを手動操作して、凹面状に形成された受光面に表示されるスポット光の表示位置を制御することにより視野を検査するペリメーターにおいて、前記指標操作アームが移動する移動面と対向して配置された支持フレームの位置に、前記移動面とパネル面とを平行に、かつ前記移動面とパネル面とを離間させた配置に、外面がタッチパネルによって形成され、指標操作アームの移動位置と前記受光面に表示されるスポット位置とが対応した配置となる視野スケールパターンが表示された視野スケール表示部が設けられ、該視野スケール表示部に前記視野スケールパターン等の所要の画像を表示し、前記タッチパネルに入力されたマーキング位置、記号、文字等の入力データを電子データとして記録し、記録された電子データを出力する制御装置が設けられていることを特徴とする。
【００１２】
また、前記視野スケール表示部が、既設のペリメーターにおいて記録紙をセットするセット部と同一の位置に、前記記録紙に表示されている視野スケールパターンと同一の縮尺で視野スケールパターンが表示可能に設けられていることを特徴とする。
また、前記受光体に被検眼を撮影するカメラが設けられ、前記カメラによって撮影された被検眼の映像が視野スケール表示部に表示可能に設けられていることを特徴とする。
【００１３】
【発明の実施の形態】
以下、本発明の好適な実施の形態について添付図面と共に詳細に説明する。
図１は本発明に係るペリメーターの一実施形態の全体構成を示す説明図である。本実施形態のペリメーターは、半球面状に形成された受光部を備える受光体１０、スポット光を投射するプロジェクタ１３を支持する回動アーム１４、支持フレーム１６に回動自在に支持された連繋アーム１８、連繋アーム１８と回動アーム１４とを連繋するリンク機構１９および連繋アーム１８に連結された指標操作アーム２０等のペリメーターを操作するための機械的操作機構、スポット光を受光部に投射する光源および光学系については従来のペリメーターとまったく同一に構成されている。
【００１４】
本実施形態のペリメーターにおいて特徴的な構成は、従来のペリメーターにおいて記録紙をセットするセット部２２が設けられていた位置に、タッチパネル方式によって電子的にデータを記録する視野スケール表示部３０を設けたことにある。この視野スケール表示部３０は、従来の視野計で用いられている記録紙に表示されている視野スケールパターンとまったく同一のパターンを、記録紙に表示されている縮尺とまったく同一の縮尺で画面内に表示したものである。
【００１５】
図２に視野スケール表示部３０の表示パターンを示す。視野スケール表示部３０には、図のように、視野内を１５°間隔で径方向に区切る放射状に配置された直線と、同芯状に配置された円周線からなる視野スケールパターン３２が表示されている。この視野スケール表示部３０に表示されている視野スケールパターン３２は、視野スケールパターン内のスケール位置に指標操作アーム２０のつまみ部の先端のポインタ２０ａを位置合わせすることにより、そのポインタ位置に受光体１０の凹面に形成された受光面にスポット光が投射されるように設定されている。すなわち、視野スケールパターン３２におけるポインタの位置と受光体１０の受光面に表示されるスポット位置とが連動するように、連繋アーム１８、リンク機構１９、回動アーム１４等の機械的機構が設計され、プロジェクタ１３の向きが制御されるように設けられている。
【００１６】
指標操作アーム２０は視野スケール表示部３０のタッチパネル面から僅かに離間して、タッチパネル面に平行に移動するように設けられている。視野検査の際には、指標操作アーム２０のつまみ部を指でつまむようにしてタッチパネルの表面に沿って指標操作アーム２０を動かしながら、被検者の応答にしたがってライトペン等により視野スケール表示部３０のタッチパネルに所要の記号、文字等をマーキングする。
【００１７】
このように、指標操作アーム２０を動かしながら視野スケール表示部３０のタッチパネル面にマーキングする操作は、指標操作アームを動かしながら記録紙にマーキングする操作とまったく同じである。すなわち、本実施形態のペリメーターは、視野スケール表示部３０をタッチパネル方式とし、視野スケール表示部３０にタッチするようにしてマーキングできるようにしたことによって従来のペリメーターとまったく同じ操作によって検査することが可能である。
【００１８】
図３に本実施形態のペリメーターのブロック図を示す。同図で４０は受光体１０およびリンク機構等を備えた機器本体であり、３０は機器本体４０に装着された視野スケール表示部である。３４は視野スケール表示部３０のタッチパネルにマーキングするためのライトペンである。
４２は視野スケール表示部３０に視野スケールパターンを表示し、タッチパネルから入力されたデータを記録、処理する制御装置である。４４は制御装置４２に接続されたキーボード、４６はマウスである。制御装置４２にはプリンタ４８が接続され、視野検査結果が従来の記録紙上に示したと同様に視野スケールパターンとともに印刷することができる。３６は機器本体４０に取り付けたＣＣＤカメラである。ＣＣＤカメラ３６は図１に示すように受光体１０の背面の中心位置に設置し、被検者が受光体１０の受光面の中心位置を固視しているか否かを監視するために設けられている。
【００１９】
以下に、本実施形態のペリメーターを使用して視野検査を行う手順について説明する。
まず、制御装置４２の電源を入れ、図２に示すように、視野スケール表示部３０に視野スケールパターン３２を表示させ、視野検査可能状態とする。同図で３６ａは視野スケール表示部３０に表示する被検者の固視確認用の表示窓である。この表示窓３６ａにはＣＣＤカメラ３６による被検者の眼の映像が映し出され、検者はこの表示窓３６ａの映像によって被検者の固視状態を監視することができる。従来の視野計では、固視チェック用の観察鏡が受光体１０の中心に配置されており、検者が随時、観察鏡をのぞいて固視をチェックしていた。本実施形態によれば、被検者の固視確認が従来にくらべて容易にでき、信頼性の高い視野検査ができるという利点がある。
【００２０】
被検者は顎受け台１２に顎をのせる。右眼あるいは左眼の被検眼が受光体１０の中心位置となるように顎受け台１２の高さおよび左右位置を調節する。
ペリメーターによる視野検査では、受光面の外側からスポット光を中心方向に（径方向に沿った直線上を）移動させ、被検者がスポット光を視認できた位置を視野表示スケールに検者がマーキングする操作が基本操作となる。検査方法としては、まず４５°間隔で径線上を指標操作アーム２０の先端部を移動させて各々の径線について検査し、次に、１５°偏位した径線について４５°の間隔で検査し、次に、さらに１５°偏位した径線について４５°間隔で検査する。これによって、視野表示スケールの各径線について検査することができる。なお、径線上でスポット光を移動させる速さは、１秒間で５°程度である。
【００２１】
被検者は、スポット光が見えた時点で手元スイッチあるいは声などで検者に視認できたことを知らせる。
検者は、視認位置を確認し、視野スケール表示部３０のタッチパネル面上で当該視認位置をライトペンでマーキングする。マーキングする際に、検査内容によって○あるいは×といった表示記号を変えて記録することもできる。また、記録紙にメモを書く場合と同じように、視野スケール表示部３０のタッチパネル上に文字を書いて記録することもできる。
【００２２】
なお、ライトペンは視野スケール表示部３０のタッチパネルから記号等を的確に入力することができるものであれば、その形状、材質等がとくに限定されるものではない。通常の操作では、指標操作アーム２０とは別にライトペンを手に持ち、指標操作アーム２０を動かしながらスポット光が視認されたら、そのときの指標操作アーム２０の先端位置に合わせてライトペンでマーキングする。指標操作アーム２０の先端部にマーキング用の部材を取り付けておき、スポット光が視認された位置でマーキング用の部材をノックしてタッチパネルにマーキングするといったことも可能である。
視野スケール表示部３０では、タッチパネルにマーキングすることによって、画面上にマーキングが表示されマーキング内容を検者が確認することができる。
【００２３】
制御装置４２では視野スケール表示部３０でのマーキング操作によって、その座標位置データが記録される。視野検査では、マーキング後にイソプターを書き込んで検査結果を表示するようにするから、イソプターを書き込むときも視野スケール表示部３０のタッチパネル上でライトペン等により手書きによりイソプターを記入するようにすればよい。制御装置４２ではこのイソプターのデータも座標データとして記録される。
なお、画面操作あるいはデータ入力用にキーボード４４、マウス４６等を適宜使用することができる。
【００２４】
本実施形態のペリメーターによれば、上述したように視野スケール表示部３０をタッチパネル方式とし、タッチパネルから検査結果を入力する方式としたことにより、入力データがすべて電子データとして記録され、プリンタ４８から検査結果を印刷して出力することも容易に可能であり、検査結果を電子データとして保管、記録しておくことも容易に可能となる。
【００２５】
また、本実施形態のペリメーターは、従来の手動式のペリメーターの操作系についてはまったく手を加えることなく、記録紙をセットするセット部にタッチパネル方式により視野スケール表示部３０を配置したことを特徴とする。したがって、本実施形態のペリメーターは従来のペリメーターの操作性をまったく損なうことがない。これによってペリメーターの操作に習熟した人にとっても容易にかつ好適に使用することが可能となる。
【００２６】
また、病院等に既設のペリメーターについては、セット部に視野スケール表示部３０を付け替えるだけで検査結果を電子データとして記録することができる装置に変換することができる。視野スケール表示部３０に付け替える操作は、ペリメーターの操作系についてはまったく変更せず、制御装置４２等を付設するだけで済ますことができるから、電子化可能な装置に変換することも容易にできるという利点がある。
【００２７】
【発明の効果】
本発明に係るペリメーターによれば、上述したように、従来のペリメーターの操作性を損なうことなく、検査結果を電子データとして記録することが可能となる。また、信頼性、操作性の優れたペリメーターとして提供することができるという著効を奏する。
【図面の簡単な説明】
【図１】本発明に係るペリメーターの実施形態の構成を示す説明図である。
【図２】視野スケール表示部の表示例を示す説明図である。
【図３】ペリメーターのブロック図である。
【図４】従来のペリメーターの正面図である。
【図５】従来のペリメーターの背面図である。
【符号の説明】
１０  受光体
１２  顎受け台
１３  プロジェクタ
１４  回動アーム
１５  支持台
１６  支持フレーム
１８  連繋アーム
１９  リンク機構
２０  指標操作アーム
２０ａ  ポインタ
２２  セット部
３０  視野スケール表示部
３２  視野スケールパターン
３６  ＣＣＤカメラ
３６ａ  表示窓
４０  機器本体
４２  制御装置
４４  キーボード
４６  マウス
４８  プリンタ
【図１】
2004229870.tif 000003
【図２】
2004229870.tif 000004
【図３】
2004229870.tif 000005
【図４】
2004229870.tif 000006
【図５】
2004229870.tif 000007